(57)【要約】【課題】本発明は、制御ユニットおよび照明器具に関し、設置場所の自由度を向上できる制御ユニットおよび照明器具を得ることを目的とする。【解決手段】本発明に係る制御ユニットは、交流磁界に応じて電圧を発生させる受電コイルと、該受電コイルに発生する電圧により動作し、外部の状態または外部からの信号を無線で検出するオプションユニットと、を備える。【選択図】図４
2019145280.tif 000002
【特許請求の範囲】
【請求項１】
交流磁界に応じて電圧を発生させる受電コイルと、
前記受電コイルに発生する電圧により動作し、外部の状態または外部からの信号を無線で検出するオプションユニットと、
を備えることを特徴とする制御ユニット。
【請求項２】
前記オプションユニットは、
外部の状態を検出するセンサ素子を有する検出部と、
外部機器と無線通信する無線通信部と、
を備え、
前記無線通信部は、前記センサ素子が検出した情報を含む通信信号を外部に送信することを特徴とする請求項１に記載の制御ユニット。
【請求項３】
前記オプションユニットは、外部の状態を検出するセンサ素子を有する検出部を備え、
前記制御ユニットは、前記センサ素子が検出した情報を含む通信信号を前記受電コイルから送信することを特徴とする請求項１または２に記載の制御ユニット。
【請求項４】
前記オプションユニットは、外部機器と無線通信する無線通信部を備え、
前記無線通信部は、前記外部機器から受信した受信信号に応じた通信信号を外部に送信することを特徴とする請求項１から３の何れか１項に記載の制御ユニット。
【請求項５】
前記オプションユニットは、外部機器と無線通信する無線通信部を備え、
前記制御ユニットは、前記無線通信部が前記外部機器から受信した受信信号に応じた通信信号を前記受電コイルから送信することを特徴とする請求項１から４の何れか１項に記載の制御ユニット。
【請求項６】
前記オプションユニットは、
前記オプションユニットが検出した情報を記憶する記憶部と、
外部機器と無線通信する無線通信部と、
を備え、
前記無線通信部は、前記情報を含む通信信号を外部に送信することを特徴とする請求項１から５の何れか１項に記載の制御ユニット。
【請求項７】
前記オプションユニットは、前記オプションユニットが検出した情報を記憶する記憶部を備え、
前記制御ユニットは、前記情報を含む通信信号を前記受電コイルから送信することを特徴とする請求項１から６の何れか１項に記載の制御ユニット。
【請求項８】
前記制御ユニットは、前記受電コイルが発生させる磁界を変化させることで、通信信号を前記受電コイルから送信することを特徴とする請求項１から７の何れか１項に記載の制御ユニット。
【請求項９】
前記オプションユニットは、
外部の状態を検出するセンサ素子を有する検出部と、
外部機器と無線通信する無線通信部と、
を備え、
前記無線通信部は、前記外部機器から受信した受信信号に応じて前記検出部を動作させることを特徴とする請求項１から８の何れか１項に記載の制御ユニット。
【請求項１０】
点灯装置と、
光源と、
請求項１から９の何れか１項に記載の制御ユニットと、
を備え、
前記点灯装置は、
スイッチング素子のオンオフにより前記光源を点灯させる第１スイッチング電源部と、
交流電圧を発生させる第２スイッチング電源部と、
前記交流電圧から前記交流磁界を発生させる送電コイルと、
を備えることを特徴とする照明器具。
【請求項１１】
前記制御ユニットは前記点灯装置と通信することを特徴とする請求項１０に記載の照明器具。
【請求項１２】
前記点灯装置は、前記受電コイルから送信された通信信号を前記送電コイルで受信することを特徴とする請求項１０または１１に記載の照明器具。
【請求項１３】
前記第１スイッチング電源部は前記制御ユニットが送信する通信信号に応じて制御されることを特徴とする請求項１０から１２の何れか１項に記載の照明器具。
【請求項１４】
前記送電コイルと前記受電コイルとは、非導電体を介して隣接して設けられることを特徴とする請求項１０から１３の何れか１項に記載の照明器具。
【請求項１５】
前記光源と、前記点灯装置と、を有する光源ユニットを有し、
前記制御ユニットは、前記受電コイルと前記オプションユニットとを収納する外囲体をさらに備え、
前記外囲体は、前記光源ユニットの側面に取り付けられることを特徴とする請求項１０から１４の何れか１項に記載の照明器具。
【発明の詳細な説明】
【技術分野】
【０００１】
本発明は、制御ユニットおよび照明器具に関する。
【背景技術】
【０００２】
特許文献１には、携帯電話等の負荷機器を非接触充電する機能を備えた照明器具が開示されている。この照明器具は、共通電源回路と駆動回路と高周波インバータ回路とを内蔵している。駆動回路は、共通電源回路から供給される電力を用いて光源を点灯させる。また、高周波インバータ回路は、共通電源回路から供給される電力を高周波電力に変換して一次側コイルに供給する。これにより、一次側コイルに交流磁界が発生する。このとき、給電エリアに負荷機器を載置することで負荷機器に電力を搬送することができる。
【先行技術文献】
【特許文献】
【０００３】
【特許文献１】特開２０１３−１４５６５４号公報
【発明の概要】
【発明が解決しようとする課題】
【０００４】
一般に、センサ素子を有する制御ユニットが、外部電源から電力を供給され、点灯装置の制御を行うことがある。センサ素子は、例えば人感センサであり、人の在または不在により点灯装置につながれた光源の明るさを変化させる。また、無線通信の技術として、Ｗｉ−Ｆｉ（登録商標）またはＢｌｕｅｔｏｏｔｈ（登録商標）等が一般的である。
【０００５】
無線通信において、通信機器間に遮蔽物が存在すると、通信の安定性が著しく悪化する場合がある。また、センサによる検出の精度は、一般に、ある空間に存在するセンサの数と遮蔽物の存在によって大きく左右される。センサの数が多いほど検出精度は高くなり、遮蔽物が多いほど検出精度は低くなる傾向にある。従って、無線通信機および制御ユニットは出来る限り遮蔽物の影響が少ない場所に配置することが好ましい。
【０００６】
また、無線通信機または制御ユニットを動作させるための電力供給には、一般に、外部電源とつなぐための電力線が必要である。この場合、無線通信機または制御ユニットは、外部電源から電力供給を受けられる場所に設置される必要がある。さらに、場合によっては外部電源を無線通信機または制御ユニットの動作に必要な電力に変換するための電源回路の形成が必要となる。このため、無線通信機または制御ユニットの大型化が懸念される。また、無線通信機または制御ユニットの大型化ゆえに、狭スペースに照明器具を設置できない場合も考えられる。以上から、無線通信機および制御ユニットを設置可能な場所が制限される場合がある。
【０００７】
特許文献１の照明器具は、机上面で負荷機器のバッテリーを充電することを想定している。このような照明器具からセンサに給電すると、遮蔽物の影響により検出精度が低下する可能性がある。また、特許文献１では給電エリアに負荷機器を置くことで給電が行われる。このため、照明器具からバッテリーを介さずにセンサに動作電源を供給する場合には、給電が安定せず、センサが正常に動作しない可能性がある。
【０００８】
本発明は、上述の課題を解決するためになされたもので、設置場所の自由度を向上できる制御ユニットおよび照明器具を得ることを目的とする。
【課題を解決するための手段】
【０００９】
本発明に係る制御ユニットは、交流磁界に応じて電圧を発生させる受電コイルと、該受電コイルに発生する電圧により動作し、外部の状態または外部からの信号を無線で検出するオプションユニットと、を備える。
【発明の効果】
【００１０】
本発明に係る制御ユニットは、受電コイルを介した非接触給電により動作する。このため、制御ユニットが外部電源から電力供給を受けられる場所に設置される必要が無く、設置場所の自由度を向上できる。
【図面の簡単な説明】
【００１１】
【図１】実施の形態１に係る照明器具の回路ブロック図である。
【図２】実施の形態１に係る照明器具の斜視図である。
【図３】実施の形態２に係る照明器具の回路ブロック図である。
【図４】実施の形態２に係る制御ユニットの回路ブロック図である。
【図５】実施の形態２に係る制御ユニットの動作を説明するフローチャートである。
【図６】実施の形態３に係る制御ユニットの回路ブロック図である。
【図７】実施の形態４に係る照明器具の斜視図である。
【図８】実施の形態４に係る照明器具で器具本体から光源ユニットおよび制御ユニットを取り外した状態を示す斜視図である。
【図９】実施の形態４に係る照明器具で光源ユニットから制御ユニットを取り外した状態を示す斜視図である。
【図１０】実施の形態５に係る制御ユニットの回路ブロック図である。
【図１１】実施の形態６に係る制御ユニットの回路ブロック図である。
【発明を実施するための形態】
【００１２】
本発明の実施の形態に係る制御ユニットおよび照明器具について図面を参照して説明する。同じ又は対応する構成要素には同じ符号を付し、説明の繰り返しを省略する場合がある。
【００１３】
実施の形態１．
図１は、実施の形態１に係る照明器具１の回路ブロック図である。照明器具１は、点灯装置５０とＬＥＤ光源部８０と後述する制御ユニットとを備える。点灯装置５０は外部電源ＡＣから電力を供給され、ＬＥＤ光源部８０を点灯させる。外部電源ＡＣは商用電源である。外部電源ＡＣは、交流電圧を点灯装置５０に供給する。
【００１４】
ＬＥＤ光源部８０は、複数の光源８１を備える。複数の光源８１はＬＥＤである。複数の光源８１は直列に接続される。ＬＥＤ光源部８０は光源８１を１つ以上備えれば良い。また、複数の光源８１は並列または直並列に接続されても良い。
【００１５】
点灯装置５０は端子部ＣＮ１、ＣＮ２を備える。端子部ＣＮ１は、点灯装置５０の入力端子であり、外部電源ＡＣに接続される。端子部ＣＮ２は点灯装置５０の出力端子であり、ＬＥＤ光源部８０に接続される。
【００１６】
点灯装置５０は、整流器ＤＢを備える。整流器ＤＢは外部電源ＡＣから点灯装置５０に入力される交流電圧を整流する。整流器ＤＢの出力端には、昇圧チョッパ回路が接続される。昇圧チョッパ回路は、コイルＬ１、スイッチング素子Ｑ１、ダイオードＤ１で構成される。
【００１７】
スイッチング素子Ｑ１は例えばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。コイルＬ１の一端は、整流器ＤＢの高電位側の出力に接続される。コイルＬ１の他端はスイッチング素子Ｑ１のドレインとダイオードＤ１のアノードが接続される。スイッチング素子Ｑ１のソースは整流器ＤＢの低電位側の出力に接続される。スイッチング素子Ｑ１のゲートはＭＯＳＦＥＴドライバー４１に接続される。ダイオードＤ１のカソードはコンデンサＣ１の正極に接続される。コンデンサＣ１の負極は整流器ＤＢの低電位側の出力に接続される。
【００１８】
昇圧チョッパ回路は、交流電圧が整流器ＤＢで整流されることで得られる脈流電圧を直流高電圧に変換する。昇圧チョッパ回路の出力電圧である直流高電圧は、コンデンサＣ１の両端に印加される。昇圧チョッパ回路は、コンデンサＣ１を充電し、一定の直流高電圧を生成する。
【００１９】
コンデンサＣ１と並列に、抵抗Ｒ２、Ｒ３の直列回路が接続される。コンデンサＣ１に充電されている電圧は、抵抗Ｒ２、Ｒ３により分圧され、第１制御部ＩＣ１の端子Ｐ１に入力される。第１制御部ＩＣ１は、コンデンサＣ１の両端に印加される電圧が一定の直流電圧に一致するように、端子Ｖｇ１からスイッチング素子Ｑ１をオンオフするスイッチング信号を出力する。すなわち、端子Ｐ１の電圧が一定電圧になるように、第１制御部ＩＣ１はスイッチング素子Ｑ１をオンオフする。
【００２０】
第１制御部ＩＣ１は例えばマイコンである。一般に、マイコンの動作電圧はＭＯＳＦＥＴの駆動電圧よりも低い。このため、端子Ｖｇ１から一旦ＭＯＳＦＥＴドライバー４１にスイッチング信号が入力される。第１制御部ＩＣ１は、ＭＯＳＦＥＴドライバー４１を介して、スイッチング素子Ｑ１をスイッチングしている。これにより、安定なスイッチングが実現できる。
【００２１】
一定の直流電圧が充電されたコンデンサＣ１には、バックコンバータ回路が接続される。バックコンバータ回路は、スイッチング素子Ｑ２、コイルＬ２、ダイオードＤ２から構成される点灯回路である。スイッチング素子Ｑ２は例えばＭＯＳＦＥＴである。コンデンサＣ１の正極には、スイッチング素子Ｑ２のドレインが接続される。スイッチング素子Ｑ２のソースには、コイルＬ２の一端とダイオードＤ２のカソードが接続される。スイッチング素子Ｑ２のゲートはＭＯＳＦＥＴドライバー４１に接続される。
【００２２】
コイルＬ２の他端は、コンデンサＣ３の正極に接続される。ダイオードＤ２のアノードは、コンデンサＣ１の負極に接続される。コンデンサＣ３の負極は抵抗Ｒ４を介してコンデンサＣ１の負極に接続される。コンデンサＣ３には端子部ＣＮ２が接続される。コンデンサＣ３は端子部ＣＮ２を介してＬＥＤ光源部８０に接続される。
【００２３】
バックコンバータ回路は、コンデンサＣ１に印加される直流電圧を降圧し、ＬＥＤ光源部８０に供給する。バックコンバータ回路が出力する高周波電圧は、コンデンサＣ３で平滑され、光源８１を点灯させる。光源８１が点灯することで流れた電流は、抵抗Ｒ４で電圧に変換される。この電圧は、第１制御部ＩＣ１の端子Ｐ２に入力される。第１制御部ＩＣ１は、端子Ｐ２の電圧が一定になるように端子Ｖｇ２からスイッチング素子Ｑ２をオンオフするスイッチング信号を出力する。従って、光源８１を流れる電流が一定に維持される。光源８１は定電流制御により点灯する。
【００２４】
端子Ｖｇ２からのスイッチング信号は、昇圧チョッパ回路と同様に、ＭＯＳＦＥＴドライバー４１に入力される。第１制御部ＩＣ１は、ＭＯＳＦＥＴドライバー４１を介して、スイッチング素子Ｑ２をスイッチングしている。これにより、安定なスイッチングが実現できる。
【００２５】
本実施の形態では、昇圧チョッパ回路と、バックコンバータ回路とが第１スイッチング電源部５１を構成する。第１スイッチング電源部５１は、外部電源ＡＣから電力を供給され、スイッチング素子Ｑ１、Ｑ２のオンオフにより光源８１を点灯させる。また、第１制御部ＩＣ１は、制御電源Ｖ１から電力を供給され、第１スイッチング電源部５１を制御する。
【００２６】
制御電源回路部４２は、コンデンサＣ１に蓄えられた電荷から制御電源Ｖ１を電圧生成する。制御電源回路部４２は、昇圧チョッパ回路の出力電圧である直流電圧から制御電源Ｖ１の電圧を生成する。制御電源Ｖ１の電圧は、コンデンサＣ２にて平滑される。制御電源Ｖ１の電圧は、例えば１５Ｖである。制御電源回路部４２は、バックコンバータ回路などの降圧コンバータ回路でも良く、フライバック回路などの昇降圧コンバータでも良い。
【００２７】
ＭＯＳＦＥＴドライバー４１は制御電源Ｖ１から電力を供給され動作している。つまり、制御電源Ｖ１は第１スイッチング電源部５１を駆動させる電源である。さらに、制御電源Ｖ１の電圧は降圧回路部４３によって降圧される。制御電源Ｖ１の電圧は降圧回路部４３を介して、第１制御部ＩＣ１の端子ＶＤＤに入力される。従って、第１制御部ＩＣ１は制御電源Ｖ１から電力を供給され動作している。端子ＶＤＤの電圧は例えば５Ｖである。
【００２８】
点灯装置５０は、さらに第２制御部ＩＣ１０を備える。制御電源Ｖ１の電圧は、第２制御部ＩＣ１０の端子Ｖｃｃに入力される。第２制御部ＩＣ１０は、制御電源Ｖ１から電力を供給され、動作する。
【００２９】
点灯装置５０はさらに第２スイッチング電源部５２を備える。第２スイッチング電源部５２は、スイッチング素子Ｑ１０とスイッチング素子Ｑ１１とを備える。スイッチング素子Ｑ１０、Ｑ１１は、例えばＭＯＳＦＥＴである。スイッチング素子Ｑ１０のドレインは、制御電源Ｖ１に接続される。スイッチング素子Ｑ１０のソースはスイッチング素子Ｑ１１のドレインに接続される。スイッチング素子Ｑ１１のソースは接地用端子ＧＮＤに接続される。スイッチング素子Ｑ１０、Ｑ１１のゲートは、それぞれ第２制御部ＩＣ１０の端子Ｖｇ１０、端子Ｖｇ１１と接続される。スイッチング素子Ｑ１０、Ｑ１１は、ハーフブリッジ回路を構成している。
【００３０】
スイッチング素子Ｑ１０のソースとスイッチング素子Ｑ１１のドレインとの接続点には、送電コイルＴ１０の一端が接続される。送電コイルＴ１０の他端はコンデンサＣ１０の一端に接続される。コンデンサＣ１０の他端は接地用端子ＧＮＤに接続される。なお、コンデンサＣ１０はカップリングコンデンサとして動作する。
【００３１】
第２制御部ＩＣ１０は、端子Ｖｇ１０および端子Ｖｇ１１からスイッチング素子Ｑ１０、Ｑ１１を交互にオンする駆動信号を出力する。これにより、第２スイッチング電源部５２は、制御電源Ｖ１の電圧を交流電圧に変換する。送電コイルＴ１０には制御電源Ｖ１の電圧が高周波交流電圧に変換され印加される。送電コイルＴ１０は、この交流電圧から交流磁界を発生させる。送電コイルＴ１０は、非接触給電における送電側コイルである。
【００３２】
第２制御部ＩＣ１０は、制御電源Ｖ１から電力を供給され、第２スイッチング電源部５２を制御する。第２制御部ＩＣ１０は、非接触給電を制御する。
【００３３】
本実施の形態では、第１制御部ＩＣ１と第２制御部ＩＣ１０とが制御部４０を構成する。制御部４０は、第１スイッチング電源部５１と第２スイッチング電源部５２を制御する。制御電源Ｖ１は、制御部４０に電力を供給している。
【００３４】
図２は、実施の形態１に係る照明器具１の斜視図である。照明器具１は、器具本体１ａと光源ユニット１ｂと制御ユニット２とを有する。器具本体１ａは例えば天井面に取り付けられる。光源ユニット１ｂはＬＥＤ光源部８０を備える。点灯装置５０は、例えば、器具本体１ａに収納されている。制御ユニット２は、器具本体１ａの側面に取り付けられる。器具本体１ａの制御ユニット２が取り付けられる部分の内側には、送電コイルＴ１０が設けられている。
【００３５】
制御ユニット２は、例えば、外部の状態を検出するセンサ素子を備える。制御ユニット２は、例えば人感センサである。制御ユニット２は、外部機器と無線通信する無線通信部を備えても良い。また、制御ユニット２は、受電コイルを備える。送電コイルＴ１０と受電コイルは隣接して設けられる。送電コイルＴ１０に交流電圧が印加されることで、電磁誘導により受電コイルに電圧が発生する。受電コイルは、送電コイルＴ１０が発生させる交流磁界に応じて電圧を発生させる。受電コイルは、送電コイルＴ１０が発生させる交流磁界を電圧に変換している。
【００３６】
制御ユニット２は、受電コイルに発生する電圧により動作する。制御ユニット２は、制御回路を備える。受電コイルで発生した電圧により、制御回路は動作している。
【００３７】
本実施の形態では、制御ユニット２に対して点灯装置５０から非接触給電が行われる。これにより、制御ユニット２に電力を供給する電力線を削減できる。また、制御ユニット２は外部電源ＡＣとの間で配線が可能な場所に設置される必要が無い。従って、設置場所の自由度を向上できる。
【００３８】
一般に、遮蔽物が少ない天井面はセンサ素子および無線通信部の最適な設置箇所の１つである。天井面にセンサ素子および無線通信部を配置することにより、センサ素子の検出精度の向上および無線通信の安定性向上が可能になる。このため、天井面に接地された照明器具１に制御ユニット２が設けられることで、制御ユニット２の性能を向上できる。
【００３９】
一般に、センサ素子および無線通信部を動作させるための電力線により、制御ユニットの設置場所が制限される場合がある。また、制御ユニットにより照明器具が大型化し、照明器具の設置場所が制限される場合がある。これにより、照明器具に制御ユニットを設けられない可能性がある。また、制御ユニットを適した場所に設置できない可能性がある。
【００４０】
これに対し、本実施の形態では、点灯装置５０から制御ユニット２に非接触給電を行う。点灯装置５０と制御ユニット２との間に非接触給電を適用することで、配線の制約により設置場所が制限されることを防止できる。さらに、照明器具１を小型化でき、照明器具１の設置場所の自由度をさらに向上できる。これにより、センサ素子および無線通信部を適した場所に配置でき、検出精度および無線通信の安定性を向上できる。
【００４１】
また、電力線を設けるスペースが削減されることで、制御ユニット２に多くのセンサ素子を搭載できる。センサの数が増加することで、検出精度をさらに向上できる。また、電力線が削減されたことで、照明器具１の設置が容易になり、施工性を向上できる。
【００４２】
また、センサ素子が検出する情報を、無線通信部がタブレット端末等の外部機器へ送信しても良い。これにより、タブレット端末において、大量の情報を精度よく、かつ容易に収集できる。例えば、人の往来を人感センサで検出することで、集客率または買い物客のルート情報を収集することが可能となる。収集した情報を基に、例えば、商品の陳列方法を変更するなどの活用方法が考えられる。
【００４３】
また、本実施の形態では、第１制御部ＩＣ１およびＭＯＳＦＥＴドライバー４１の電源である制御電源Ｖ１を、非接触給電のコイル電圧に変換する。これにより、点灯装置５０の部品と非接触給電用の部品を兼用できる。従って、部品数を抑制でき、省資源化および照明器具１の小型化が可能になる。
【００４４】
また、制御電源Ｖ１の電圧は１５Ｖであり、一般に非接触給電のコイル電圧に使用される電圧と同等である。このため、制御電源Ｖ１により第２スイッチング電源部５２を駆動することで、非接触給電用に追加の変圧回路などを設ける必要がなくなる。このように、本実施の形態では非接触給電の供給電圧と制御電源Ｖ１の電圧とが共に１５Ｖで構成されている。このため、効率良く直流−交流変換してコイル電圧を生成できる。
【００４５】
本実施の形態では、第１制御部ＩＣ１と第２制御部ＩＣ１０の独立した２つの部分から制御部４０が構成されている。これに限らず、第１制御部ＩＣ１と第２制御部ＩＣ１０は互いに通信しても良く、一方からの制御信号に従って他方が制御されても良い。さらに、第１制御部ＩＣ１と第２制御部ＩＣ１０は一体化された制御部４０であっても良い。この場合、制御部４０は第１スイッチング電源部５１と第２スイッチング電源部５２を制御する。
【００４６】
また、第２スイッチング電源部５２は制御電源Ｖ１から供給される電圧を交流電圧に変換する。これに限らず、第２スイッチング電源部５２は第１スイッチング電源部５１に発生する電圧を交流電圧に変換すれば良い。第１スイッチング電源部５１に発生する電圧は、例えば、コンデンサＣ１の両端に印加される電圧であっても良い。
【００４７】
本実施の形態では外部電源ＡＣは、商用交流電源であるが、これに限らない。例えば、外部電源ＡＣは、直流電源であっても良い。この場合、点灯装置５０は昇圧チョッパ回路を備えなくても良い。また、外部電源ＡＣは、太陽光発電等で得られた直流電圧が交流に変換されることで得られた電源であっても良い。
【００４８】
また、第１スイッチング電源部５１の構成は本実施の形態に示したものに限らない。第１スイッチング電源部５１としてスイッチング素子のオンオフにより光源８１を点灯させるあらゆる回路を採用できる。また、第２スイッチング電源部５２として、第１スイッチング電源部５１に発生する電圧を交流電圧に変換するあらゆる回路を採用できる。
【００４９】
これらの変形は以下の実施の形態に係る制御ユニットおよび照明器具について適宜応用することができる。なお、以下の実施の形態に係る制御ユニットおよび照明器具については実施の形態１との共通点が多いので、実施の形態１との相違点を中心に説明する。
【００５０】
実施の形態２．
図３は、実施の形態２に係る照明器具２０１の回路ブロック図である。図３において、制御ユニットは省略されている。照明器具２０１は点灯装置２５０を備える。点灯装置２５０は第１制御部ＩＣ２、第２制御部ＩＣ１１、第２スイッチング電源部２５２および送電コイルＴ１１の構造が実施の形態１と異なる。
【００５１】
第２スイッチング電源部２５２はスイッチング素子Ｑ１２を備える。スイッチング素子Ｑ１２は例えばＭＯＳＦＥＴである。スイッチング素子Ｑ１２のドレインは、送電コイルＴ１１の一端とコンデンサＣ１１の負極と接続される。スイッチング素子Ｑ１１のソースは、接地用端子ＧＮＤに接続される。スイッチング素子Ｑ１２のゲートは、第２制御部ＩＣ１１の端子Ｖｇ１１と接続される。スイッチング素子Ｑ１２は、送電コイルＴ１１と接地用端子ＧＮＤとの間に接続されている。
【００５２】
送電コイルＴ１１の他端とコンデンサＣ１１の正極は、制御電源Ｖ１と接続される。送電コイルＴ１１とコンデンサＣ１１は並列に接続されている。スイッチング素子Ｑ１２のドレインとソースとの間には、抵抗Ｒ１０と抵抗Ｒ１１の直列回路が接続される。抵抗Ｒ１０と抵抗Ｒ１１の接続点は、第１制御部ＩＣ２の通信端子ＩＮと接続される。
【００５３】
第２制御部ＩＣ１１は端子Ｖｇ１１からの出力信号によって、スイッチング素子Ｑ１２をスイッチングする。これにより、送電コイルＴ１１とコンデンサＣ１１に共振電流が流れる。つまり、第２スイッチング電源部２５２は、制御電源Ｖ１から供給された電圧を交流電圧に変換する。送電コイルＴ１１はこの交流電圧から交流磁界を発生させる。
【００５４】
また、通信端子ＩＮには、後述する制御ユニットからの通信信号が入力される。本実施の形態では、第１制御部ＩＣ２と第２制御部ＩＣ１１は制御部２４０を構成する。制御部２４０は、制御ユニットから送信される通信信号を受信する通信端子ＩＮを有する。
【００５５】
図４は、実施の形態２に係る制御ユニット２０２の回路ブロック図である。制御ユニット２０２は、点灯装置２５０から非接触給電で電力を供給される受電機器である。本実施の形態では、制御ユニット２０２は点灯装置２５０と通信する。制御ユニット２０２は受電部Ｒｘ２０１とオプションユニットＵ２０１とを備える。
【００５６】
受電部Ｒｘ２０１は受電コイルＴ２１０を備える。受電コイルＴ２１０の一端には、コンデンサＣ２０２の正極とダイオードＤ２０１、２０２のアノードが接続される。コンデンサＣ２０２の負極にはスイッチング素子Ｑ２０１のドレインが接続される。スイッチング素子Ｑ２０１は例えばＭＯＳＦＥＴである。スイッチング素子Ｑ２０１のソースは、受電コイルＲ２１０の他端と接続される。スイッチング素子Ｑ２０１のゲートは、第３制御部ＩＣ２０１の端子Ｏｕｔに接続される。コンデンサＣ２０２とスイッチング素子Ｑ２０１の直列回路は、受電コイルＴ２１０と並列に接続されている。
【００５７】
ダイオードＤ２０１のカソードは、コンデンサＣ２０１の正極に接続される。コンデンサＣ２０１の負極は受電コイルＴ２１０の他端と接続される。ダイオードＤ２０１とコンデンサＣ２０１の直列回路は、受電コイルＴ２１０と並列に接続されている。ダイオードＤ２０１とコンデンサＣ２０１の接続点は、第３制御部ＩＣ２０１の入力電圧端子である端子Ｖｉｎに接続される。
【００５８】
ダイオードＤ２０２のカソードは、第３制御部ＩＣ２０１の端子Ｖｓｔａに接続される。第３制御部ＩＣ２０１の端子ＣＴと接地用端子ＧＮＤとの間には、コンデンサＣ２０３が接続される。第３制御部ＩＣ２０１の端子Ｖｓｓは、接地用端子ＧＮＤに接続される。
【００５９】
第３制御部ＩＣ２０１は、端子Ｖｏｕｔ、端子Ｉｎｆｏを備える。端子Ｖｏｕｔ、端子Ｉｎｆｏは、受電部Ｒｘ２０１から引き出され、オプションユニットＵ２０１と接続される。オプションユニットＵ２０１は、端子Ｖｏｕｔ、端子Ｉｎｆｏおよび接地用端子ＧＮＤと接続される。
【００６０】
オプションユニットＵ２０１は、検出部Ｓｅｎと無線通信部Ｃｏｍを有する。検出部Ｓｅｎと無線通信部Ｃｏｍは互いに接続されている。検出部Ｓｅｎはセンサ素子Ｓｅｎ１とセンサ制御部Ｓｅｎ２を備える。検出部Ｓｅｎには、少なくとも１つのセンサ素子Ｓｅｎ１を含めば良い。
【００６１】
受電コイルＴ２１０は、送電コイルＴ１１に近接して配置される。受電コイルＴ２１０は、送電コイルＴ１１が発生させる交流磁界に応じて電圧を発生させる。つまり、受電コイルＴ２１０は、送電コイルＴ１１に発生した電磁波に誘起されて電圧を発生させる。オプションユニットＵ２０１は、受電コイルＴ２１０に発生する電圧により動作する。
【００６２】
ダイオードＤ２０１は、受電コイルＴ２１０で発生した電圧を整流し、コンデンサＣ２０１を充電する。ダイオードＤ２０２は、受電コイルＴ２１０に発生した電圧を整流し、第３制御部ＩＣ２０１に起動電流を供給する。
【００６３】
第３制御部ＩＣ２０１は、端子Ｖｓｔａから起動電流が入力されることで起動する。第３制御部ＩＣ２０１は、端子Ｖｉｎに供給される電力により動作する。端子Ｖｉｎの電圧は、コンデンサＣ２０１の両端に印加される電圧で決まる。また、第３制御部ＩＣ２０１は、オプションユニットＵ２０１に端子Ｖｏｕｔから電力を供給する。第３制御部ＩＣ２０１がオプションユニットＵ２０１に供給する電力または電流は、コンデンサＣ２０３の容量により決定される。
【００６４】
次に、制御ユニット２０２の外部との通信方法を説明する。無線通信部Ｃｏｍは、センサ素子Ｓｅｎ１が検出した情報を含む通信信号を外部に送信する。通信信号の送信先は外部機器６０または点灯装置２５０である。例えば、送信先が点灯装置２５０である場合、無線信号である通信信号に応じて、点灯装置２５０は光源８１を明るくまたは暗くしても良い。あるいは、通信信号に応じて点灯装置２５０は光源８１を消灯させても良い。外部機器６０は、例えばタブレット端末であり、あらゆる無線通信機であって良い。
【００６５】
無線通信部Ｃｏｍは、外部機器６０から送信される無線信号を受信する。無線通信部Ｃｏｍは、外部機器６０から受信した受信信号に応じて検出部Ｓｅｎを動作させる。つまり、外部機器６０からの受信信号に応じて検出部Ｓｅｎは制御され、検出機能の有効および無効が切替えられる。また、検出部Ｓｅｎは複数個または複数種類のセンサ素子Ｓｅｎ１を有していても良い。この場合、無線通信部Ｃｏｍは、外部機器６０からの受信信号に応じて、有効にするセンサ素子を切替えてもよい。
【００６６】
また、無線通信部Ｃｏｍは、外部機器６０から受信信号を受信し、受信信号に応じた通信信号を外部に送信する。例えば、通信信号の送信先が点灯装置２５０である場合、無線信号である通信信号に応じて、点灯装置２５０は光源８１を明るくまたは暗くしても良い。あるいは、通信信号に応じて点灯装置２５０は光源８１を消灯させても良い。また、通信信号の送信先は、点灯装置２５０に限らず、別の無線通信機であっても良い。この場合、無線通信部Ｃｏｍは、アクセスポイントの役割を担う。
【００６７】
また、制御ユニット２０２は、通信信号を受電コイルＴ２１０から送電コイルＴ１１に送信しても良い。この通信方法について説明する。第３制御部ＩＣ２０１は、端子Ｏｕｔからスイッチング素子Ｑ２０１をスイッチングする。スイッチング素子Ｑ２０１がオンすると、受電コイルＴ２１０、コンデンサＣ２０２、スイッチング素子Ｑ２０１のドレインおよびスイッチング素子Ｑ２０１のソースによるループが形成される。これにより、スイッチング素子Ｑ２０１がオフしている状態と比較して、受電コイルＴ２１０のインピーダンスが低下する。
【００６８】
受電コイルＴ２１０側が低インピーダンスとなることにより、送電コイルＴ１１のインピーダンスも低下する。これにより、第１制御部ＩＣ２の通信端子ＩＮに通信信号が伝達される。このように、制御ユニット２０２は、受電コイルＴ２１０のインピーダンスを低下させることで、受電コイルＴ２１０から送電コイルＴ１１に通信信号を送信する。つまり、制御ユニット２０２は、受電コイルＴ２１０が発生させる磁界を変化させることで、通信信号を受電コイルＴ２１０から送信する。
【００６９】
受電コイルＴ２１０から送信される通信信号は、例えば、無線通信部Ｃｏｍが外部機器６０から受信した受信信号に応じた信号である。あるいは、受電コイルＴ２１０から送信される通信信号は、センサ素子Ｓｅｎ１が検出した情報を含んでも良い。制御ユニット２０２は受電コイルＴ２１０に並列に接続されたスイッチング素子Ｑ２０１をスイッチングすることにより、制御ユニット２０２と点灯装置２５０との間で半二重通信を行う。
【００７０】
図５は、実施の形態２に係る制御ユニット２０２の動作を説明するフローチャートである。図５を用いて、制御ユニット２０２が人感センサである場合の、制御ユニット２０２の動作の一例を説明する。この場合、センサ素子Ｓｅｎ１は人の在または不在を検出する。操作開始時において、スイッチング素子Ｑ２０１はオフ状態である。また、検出部Ｓｅｎは停止状態である。
【００７１】
まず、使用者が検出部Ｓｅｎを起動するよう外部機器６０を操作する。外部機器６０は、使用者の操作に応じて無線信号を送信する。無線通信部Ｃｏｍは、外部機器６０からの無線信号である受信信号を受信する。無線通信部Ｃｏｍは、受信信号を受信すると、検出部Ｓｅｎを起動させる。センサ素子Ｓｅｎ１が人を検出すると、オプションユニットＵ２０１は、センサ素子Ｓｅｎ１が検出した情報を端子Ｉｎｆｏに出力する。
【００７２】
端子Ｉｎｆｏから入力された情報に応じて、第３制御部ＩＣ２０１はスイッチング素子Ｑ２０１をスイッチングさせる。これにより、受電コイルＴ２１０側が低インピーダンスとなる。これに応じて、送電コイルＴ１１のインピーダンスも低下する。これにより、センサ素子Ｓｅｎ１が検出した情報を含む通信信号が点灯装置２５０に送信される。このように、点灯装置２５０は、受電コイルＴ２１０から送信された通信信号を送電コイルＴ１１で受信する。
【００７３】
送電コイルＴ１１は制御部２４０のＩＮ端子に接続されている。送電コイルＴ１１が受信した通信信号は、制御部２４０に入力される。制御部２４０は、通信信号に応じて第１スイッチング電源部５１を制御する。つまり、第１スイッチング電源部５１は制御ユニット２０２が送信する通信信号に応じて制御される。点灯装置２５０は、通信信号に応じて、例えば光源８１を明るくする。
【００７４】
ここでは、スイッチング素子Ｑ２０１のオン状態またはスイッチングしている状態を人の存在する状態に対応させ、スイッチング素子Ｑ２０１のオフ状態を人が不在の状態に対応させることで、通信信号を送信している。この変形例として、制御ユニット２０２は、より複雑な通信信号を受電コイルＴ２１０から送信しても良い。この場合、制御ユニット２０２は、例えば、スイッチング素子Ｑ２０１のスイッチング周期またはオン時間に対応させて、通信信号を受電コイルＴ２１０から送信しても良い。
【００７５】
本実施の形態では、制御ユニット２０２と点灯装置２５０との間の通信が無線で行われる。このため、制御ユニット２０２と点灯装置２５０との間の通信線を削減できる。従って、照明器具２０１を小型化できる。また、照明器具２０１の設置場所の自由度を向上できる。
【００７６】
本実施の形態の変形例として、制御ユニット２０２は、人感センサに限らず、有線または無線の調光コントローラ、照度センサ、集音センサまたは温度センサであっても良い。例えば、制御ユニット２０２が照度センサの場合、制御ユニット２０２は、周囲の明るさに応じて調光率を変化させても良い。これにより、照明器具２０１が設置された空間を一定の明るさに保つことができる。
【００７７】
さらに、制御ユニット２０２が検出する情報は、必ずしも照明制御に関わる情報でなくてもよい。例えば、制御ユニット２０２は、煙センサ、気中濃度センサあるいはバイタル生体センサであっても良い。無線通信部Ｃｏｍは、各種センサが検出した情報を、例えばタブレット端末へ送信する。これにより、送信された情報を活用できる。制御ユニット２０２が煙センサである場合、制御ユニット２０２と火災報知器とが連動しても良い。また、制御ユニット２０２が気中濃度センサであれば、制御ユニット２０２が空調機と連動しても良い。さらに、制御ユニット２０２がバイタル生体センサであれば、制御ユニット２０２を用いた見守りシステムの構築または畜産業への応用などが考えられる。
【００７８】
また、オプションユニットＵ２０１の構成は図４に示したものに限らない。オプションユニットＵ２０１は、外部の状態または外部からの信号を無線で検出すれば良い。例えば、オプションユニットＵ２０１は検出部Ｓｅｎと無線通信部Ｃｏｍの一方のみを備えても良い。
【００７９】
オプションユニットＵ２０１が無線通信部Ｃｏｍのみを有する場合、例えば、使用者が外部機器から設定した調光率を無線通信部Ｃｏｍが受信信号として受信する。制御ユニット２０２は、受信した調光率に応じた通信信号を無線通信部Ｃｏｍまたは受電コイルＴ２１０から外部に送信する。
【００８０】
オプションユニットＵ２０１が検出部Ｓｅｎのみを有する場合、例えば、制御ユニット２０２は、センサ素子Ｓｅｎ１が検出した情報に応じた通信信号を受電コイルＴ２１０から点灯装置２５０に送信する。
【００８１】
実施の形態３．
図６は、実施の形態３に係る制御ユニット３０２の回路ブロック図である。制御ユニット３０２は受電部Ｒｘ３０１とオプションユニットＵ２１１とを備える。受電部Ｒｘ３０１は、第３制御部ＩＣ２１１を備える。第３制御部ＩＣ２１１は端子Ｍｅｍ＿Ｉｎｆｏを備える。端子Ｍｅｍ＿Ｉｎｆｏは受電部Ｒｘ３０１から引き出され、オプションユニットＵ２１１と接続される。オプションユニットＵ２１１は、記憶部Ｍｅｍを有する。端子Ｍｅｍ＿Ｉｎｆｏは、記憶部Ｍｅｍと接続される。また、記憶部Ｍｅｍは、検出部Ｓｅｎと、無線通信部Ｃｏｍと接続される。その他の構造は、実施の形態２と同様である。
【００８２】
記憶部Ｍｅｍには、機種情報等の制御ユニット３０２に関する情報が記憶されている。また、記憶部Ｍｅｍは、オプションユニットＵ２１１が検出した情報を記憶しても良い。オプションユニットＵ２１１が検出した情報は、検出部Ｓｅｎが検出した情報あるいは無線通信部Ｃｏｍが受信した情報を含む。
【００８３】
記憶部Ｍｅｍに記憶された情報は、検出部Ｓｅｎが検出した情報に基づいて、点灯装置２５０が光源８１に流すＬＥＤ電流値または調光度であっても良い。記憶部Ｍｅｍは、点灯装置２５０が制御に用いる電圧値または電力値を記憶していても良い。
【００８４】
無線通信部Ｃｏｍは、記憶部Ｍｅｍに記憶された情報を含む通信信号を外部に送信する。また、オプションユニットＵ２１１は、記憶部Ｍｅｍに記憶された情報を端子Ｍｅｍ＿Ｉｎｆｏに出力する。第３制御部ＩＣ２１１には、端子Ｍｅｍ＿Ｉｎｆｏから記憶部Ｍｅｍに記憶された情報が入力される。第３制御部ＩＣ２１１は、スイッチング素子Ｑ２０１をスイッチングして、記憶部Ｍｅｍに記憶された情報を含む通信信号を受電コイルＴ２１０から送信する。
【００８５】
第３制御部ＩＣ２１１は、端子Ｍｅｍ＿Ｉｎｆｏおよび端子Ｉｎｆｏに入力された情報のどちらか、または、両方に基づいて自己の動作を制御する。第３制御部ＩＣ２１１は、スイッチング素子Ｑ２０１をスイッチングし、端子Ｍｅｍ＿Ｉｎｆｏおよび端子Ｉｎｆｏに入力された情報のどちらか、または、両方を点灯装置２５０の制御部２４０に伝達する。
【００８６】
例えば、記憶部Ｍｅｍが、検出部Ｓｅｎが検出した情報に基づいた調光度を記憶し、オプションユニットＵ２１１は人感センサである場合の動作について説明する。検出部Ｓｅｎが、人が居ることを検出したとする。記憶部Ｍｅｍは検出部Ｓｅｎが検出した情報に応じて、人が居る場合の調光度を端子Ｍｅｍ＿Ｉｎｆｏに出力する。記憶部Ｍｅｍは、端子Ｍｅｍ＿Ｉｎｆｏに点灯を指示する信号を出力しても良い。これにより、第３制御部ＩＣ２１１は、受電コイルＴ２１０から点灯装置２５０に、点灯指示の通信信号を送信する。
【００８７】
また、検出部Ｓｅｎが、人が居ないことを検出したとする。記憶部Ｍｅｍは検出部Ｓｅｎが検出した情報に応じて、人が居ない場合の調光度を端子Ｍｅｍ＿Ｉｎｆｏに出力する。記憶部Ｍｅｍは、端子Ｍｅｍ＿Ｉｎｆｏに例えば消灯を指示する信号を出力しても良い。これにより、第３制御部ＩＣ２１１は、受電コイルＴ２１０から点灯装置２５０に、消灯指示の通信信号を送信する。
【００８８】
受信した通信信号に応じた調光度に従い、制御部２４０は光源８１を点灯または消灯させる。これに限らず、制御ユニット３０２は、人の検出頻度によって調光度を変化させても良い。
【００８９】
また、制御ユニット３０２は、記憶部Ｍｅｍに記憶された制御ユニット３０２に関する情報を制御部２４０に送信しても良い。これに応じて、制御部２４０は、制御ユニット３０２に適した電力を送電コイルＴ１１から供給しても良い。
【００９０】
通信信号は、受電コイルＴ２１０および送電コイルＴ１１を介して、または無線通信部Ｃｏｍを介して、制御ユニット３０２から点灯装置２５０に送信される。これに限らず、通信信号は、別の信号経路により送信されても良い。例えば、通信信号は、有線通信により制御ユニット３０２から点灯装置２５０に送信されても良い。
【００９１】
実施の形態４．
図７は、実施の形態４に係る照明器具４０１の斜視図である。図８は、実施の形態４に係る照明器具４０１で器具本体４０１ａから光源ユニット４０１ｂおよび制御ユニット２０２を取り外した状態を示す斜視図である。図９は、実施の形態４に係る照明器具４０１で光源ユニット４０１ｂから制御ユニット２０２を取り外した状態を示す斜視図である。
【００９２】
照明器具４０１は、器具本体４０１ａと、光源ユニット４０１ｂと、制御ユニット２０２とを備える。光源ユニット４０１ｂは器具本体４０１ａに取り付けられる。光源ユニット４０１ｂはＬＥＤ光源部８０と、実施の形態２の点灯装置２５０とを有する。制御ユニット２０２は、光源ユニット４０１ｂの側面に取り付けられる。制御ユニット２０２は、光源ユニット４０１ｂの長手方向の端部に取り付けられる。
【００９３】
器具本体４０１ａは、天井などの被取付部に取り付けられる取り付け部と、光源ユニット４０１ｂを取り付けるための係合部７１を有する。係合部７１は引っかけバネである。係合部７１は器具本体４０１ａの長手方向の両側に設けられる。
【００９４】
光源ユニット４０１ｂは、フレームを有する。フレームは長尺状であり、断面がコの字状またはＵ字状である。フレームには受け部７２が取り付けられている。受け部７２は係合部７１に係合する。フレームには光源モジュールが取り付けられる。光源モジュールは、ＬＥＤ光源部８０を含む。
【００９５】
さらに、フレームには長尺状の透光性カバー７３が取り付けられている。透光性カバー７３は、光源モジュールを覆う。透光性カバー７３の長手方向の両端には、端部カバー７４が取り付けられている。また、フレームには光源モジュールに電力を供給する点灯装置２５０が取り付けられている。２つの端部カバー７４のうち、制御ユニット２０２と隣接する側の内側には、送電コイルＴ１１が配置される。
【００９６】
制御ユニット２０２はケース７５を有する。ケース７５は、受電コイルＴ２１０とオプションユニットＵ２１１とを収納する外囲体である。ケース７５は光源ユニット４０１ｂに係合する。ケース７５は、光源ユニット４０１ｂの側面に取り付けられる。ケース７５のうち、少なくとも光源ユニット４０１ｂの制御ユニット２０２への給電部と接触する部分は、非導電体で形成されている。非導電体は例えば樹脂である。ケース７５の非導電体で形成された部分の内側に、受電コイルＴ２１０が取り付けられている。
【００９７】
本実施の形態では、送電コイルＴ１１と受電コイルＴ２１０とは、非導電体を介して隣接して設けられる。送電コイルＴ１１と受電コイルＴ２１０との間に介在する部品は非導電部材であるので、送電コイルＴ１１が発する電磁波による加熱の影響を抑制できる。ここで、送電コイルＴ１１と受電コイルＴ２１０との間に介在する部品は、例えば、端部カバー７４およびケース７５である。
【００９８】
また、送電コイルＴ１１と受電コイルＴ２１０との間に介在する部品が非導電体で形成されることで、受電コイルＴ２１０への非接触給電における電力ロスを低減できる。さらに、受電コイルＴ２１０から送電コイルＴ１１へ送信される信号が、送電コイルＴ１１と受電コイルＴ２１０との間に介在する部品によって遮断されにくくなる。従って、信号の伝達がし易くなり、点灯装置２５０と制御ユニット２０２との間の通信性能を向上できる。
【００９９】
なお、本実施の形態では光源ユニット４０１ｂが点灯装置２５０を備える。これに限らず、光源ユニット４０１ｂは点灯装置５０を備えても良い。また、照明器具４０１は、制御ユニット２０２に限らず、制御ユニット２または制御ユニット３０２を備えても良い。
【０１００】
さらに、照明器具４０１は、制御ユニット２０２に代えて、ケース７５のみを備えるダミーユニットを備えても良い。制御ユニット２０２による調光制御を必要としない場合には、照明器具４０１にダミーユニットを取り付ける。これにより、照明器具４０１の外観を変えずに、制御ユニットによる調光制御機能の有無を変更できる。
【０１０１】
実施の形態５．
図１０は、実施の形態５に係る制御ユニット５０２の回路ブロック図である。制御ユニット５０２はオプションユニットＵ５０１の構造が実施の形態２と異なる。オプションユニットＵ５０１は、無線通信部Ｃｏｍを備えない。第３制御部ＩＣ２０１の端子Ｓｅｎ＿Ｉｎｆｏは、受電部Ｒｘ２０１から引き出され、オプションユニットＵ５０１の検出部Ｓｅｎと接続される。その他の構成は実施の形態２と同様である。
【０１０２】
第３制御部ＩＣ２０１には端子Ｓｅｎ＿Ｉｎｆｏから検出部Ｓｅｎが検出した情報が入力される。第３制御部ＩＣ２０１は、端子Ｓｅｎ＿Ｉｎｆｏに入力された情報に基づいて自己の動作を制御する。第３制御部ＩＣ２０１は、スイッチング素子Ｑ２０１をスイッチングし、受電コイルＴ２１０のインピーダンスを低下させる。これにより、第３制御部ＩＣ２０１は、端子Ｓｅｎ＿Ｉｎｆｏに入力された情報を点灯装置２５０の制御部２４０に伝達する。以上から、制御ユニット５０２は、センサ素子Ｓｅｎ１が検出した情報に応じた通信信号を受電コイルＴ２１０から点灯装置２５０に送信する。
【０１０３】
本実施の形態では、通信信号に含まれる情報は、例えば検出部Ｓｅｎが検出した情報である。制御ユニット５０２は受電コイルＴ２１０に並列に接続されたスイッチング素子Ｑ２０１をスイッチングすることにより、制御ユニット５０２と点灯装置２５０との間で半二重通信を行う。
【０１０４】
実施の形態６．
図１１は、実施の形態６に係る制御ユニット６０２の回路ブロック図である。制御ユニット６０２は受電部Ｒｘ３０１とオプションユニットＵ５１１とを備える。オプションユニットＵ５１１は、無線通信部Ｃｏｍを備えない。第３制御部ＩＣ２１１の端子Ｓｅｎ＿Ｉｎｆｏは、受電部Ｒｘ３０１から引き出され、オプションユニットＵ５１１の検出部Ｓｅｎと接続される。その他の構成は実施の形態３と同様である。
【０１０５】
オプションユニットＵ５１１は、記憶部Ｍｅｍに記憶された情報を端子Ｍｅｍ＿Ｉｎｆｏに出力する。第３制御部ＩＣ２１１には、端子Ｍｅｍ＿Ｉｎｆｏから記憶部Ｍｅｍに記憶された情報が入力される。
【０１０６】
第３制御部ＩＣ２１１は、端子Ｍｅｍ＿Ｉｎｆｏおよび端子Ｓｅｎ＿Ｉｎｆｏに入力された情報のどちらか、または、両方に基づいて自己の動作を制御する。第３制御部ＩＣ２１１は、スイッチング素子Ｑ２０１をスイッチングし、端子Ｍｅｍ＿Ｉｎｆｏおよび端子Ｉｎｆｏに入力された情報のどちらか、または、両方を含む通信信号を受電コイルＴ２１０から送信する。以上から、制御ユニット６０２は、センサ素子Ｓｅｎ１が検出した情報または記憶部Ｍｅｍに記憶された情報に応じた通信信号を受電コイルＴ２１０から点灯装置２５０に送信する。
【０１０７】
なお、各実施の形態で説明した技術的特徴は適宜に組み合わせて用いてもよい。
【符号の説明】
【０１０８】
１、２０１、４０１  照明器具、１ａ、４０１ａ  器具本体、１ｂ、４０１ｂ  光源ユニット、２、２０２、３０２、５０２、６０２  制御ユニット、４０、２４０  制御部、５１  第１スイッチング電源部、５２  第２スイッチング電源部、６０  外部機器、７５  ケース、８１  光源、ＡＣ  外部電源、Ｑ１、Ｑ２、Ｑ１０、Ｑ１１、Ｑ１２、Ｑ２０１  スイッチング素子、Ｔ１０、Ｔ１１  送電コイル、Ｔ２１０  受電コイル、Ｖ１  制御電源、ＩＣ１、ＩＣ２  第１制御部、ＩＣ１０、ＩＣ１１  第２制御部、ＩＮ  通信端子、Ｓｅｎ  検出部、Ｓｅｎ１  センサ素子、Ｃｏｍ  無線通信部、Ｍｅｍ  記憶部、Ｕ２０１、Ｕ２１１、Ｕ５０１、Ｕ５１１  オプションユニット
【図１】
2019145280.tif 000003
【図２】
2019145280.tif 000004
【図３】
2019145280.tif 000005
【図４】
2019145280.tif 000006
【図５】
2019145280.tif 000007
【図６】
2019145280.tif 000008
【図７】
2019145280.tif 000009
【図８】
2019145280.tif 000010
【図９】
2019145280.tif 000011
【図１０】
2019145280.tif 000012
【図１１】
2019145280.tif 000013